(57)【要約】      （修正有）【課題】コップの側面、皿の表面を挟んで洗浄することが出来、表面、裏面を同時に洗浄するスポンジを提供する。【解決手段】板状の金属あるいはプラスチックを、間隔を広めにしたＵ字型の形状に作成し、そのＵ字の内側側面にマジックテープＣを貼り付け、そのマジックテープ面に市販のスポンジＢをそれぞれの面に貼り付ける。そのＵ字部の２つの端部の間隔を調整することにより、２つのスポンジ面がぴったりと隙間の無い状態にする。【選択図】図１
2012183274.tif 000002
【特許請求の範囲】
【請求項１】
樹脂あるいは金属製のフレームは、平板をＵ字型にした形状をしており、Ｕ字形状の内側にはスポンジが入るようになっていて、スポンジの大きさに合わせた隙間を有している。
そのＵ字フレームの内側の２面には、そのスポンジを固定する為のマジックテープがそれぞれ貼り付けてあり、そして、それぞれにマジックテープに固定可能な表面生地を使用しているスポンジを貼り付け固定し、そのスポンジは向かい合わせに２個密着してセットされ、コップ等洗浄時にはそのスポンジの間にコップの側面を挟みこんで洗浄できるようになっている。
フレームの両端部は可変で、内側に向かって幅を狭めることが出来、洗浄時にスポンジ及び洗浄面に圧力を加えることができ、力を抜けば元に戻る弾力性がある。
又、スポンジが古くなったらスポンジだけを交換することができる構造、方式のコップ洗浄スポンジ。
【請求項２】
樹脂、あるいは金属でできたＵ字型のフレームは、力を加えるとその両端部を内側に向かって間隔を小さくすることができ、力を抜くと元に戻る弾力性があり、
そのフレームの両内側には、マジックテープが貼られていて、市販のスポンジをその表面のマジックテープ素材で固定することができるフレームの前記請求項１記載のコップ洗浄スポンジ。
【発明の詳細な説明】
【技術分野】
【０００１】  キッチンのコップ、皿、洗浄用スポンジ
【背景技術】  特別有りません。
【発明の開示】
【発明が解決しようとする課題】
【０００２】  台所の、皿、コップを効率良く洗浄する方法の１つの形態として、スポンジやブラシをＵ字型の形状にしたものがあげられる。中心部にＵ字形の芯があり、その周囲をスポンジで覆うか、ブラシになっていて、Ｕ字形状の真ん中のスリットにコップの側面、あるいは皿の洗浄部分を挟み込んで使用する。表面、裏面、を同時に洗えますし、箸も洗うのにも便利です。
しかし、スポンジあるいはブラシの内側に芯が必要なので、作成に手間がかかり、その分コストがかかりますし、又、スポンジやブラシ部分が古くなると、それで使用出来なくなってしまい、シャフト部分が無駄になってしまいました。
【課題を解決するための手段】
【０００３】  板状の金属あるいはプラスチックを、２つの端部の間隔を広めにしたＵ字型の形状にし、そのＵ字の間隔内の内側側面にマジックテープを貼り付け、そのマジックテープ面に市販のスポンジをＵ字のそれぞれの面に貼り付けます。
市販のスポンジは、表面に糸状のケバ立ちがあるので、マジックテープにしっかりと貼りつきます。Ｕ字部の２つの端部の間隔を調整することにより、２つのスポンジ面が、ぴったりと隙間の無い状態に出来ます。
金属あるいはプラスチックで出来たＵ字部は、両側から指で押すと狭まり、力を緩めると元に戻る弾力性があり、又、棒状の芯ですと狭い範囲にしか力がかけられませんが、平板状の素材をＵ字形状していますので、平面を利用して力を洗浄物に平均的に掛けることが出来ます。
上記の形状にし、そのＵ字の隙間にコップの側面あるいは皿の平面を挟むことにより、コップ、皿の表面裏面を同時に洗浄出来、又、Ｕ字部に力を加えれば、洗浄面に圧力を掛けて洗浄することが出来ます。
又、スポンジが古くなった場合は、スポンジを交換すれば良く、シャフトを無駄にせず、それだけ安価に使用できます。
【発明を実施する為の最良の形態】
【０００４】  図１は、コップ洗浄スポンジの全体図です。Ａはフレーム、Ｂはスポンジ全体、Ｃはマジックテープ部です。
Ｄ１は、スポンジＢの固めのケバ立った繊維の部分で、Ｃのマジックテープとしっかり接着します。
又、この面を使用して洗浄すれば、こびり付いた汚れにも対処できます。
Ｄ２はスポンジ面ですが、こちらの面をマジックテープに接着することも可能です。
Ｅは、スポンジの合わせ面で、この隙間にコップの側面を挟さんだり（図４参照）皿の面を挟むことが出来ます。
Ｆは、スポンジの先端の平らな面で、ここを使用して皿の平らな面、あるいはコップ内側の底面を洗浄することも出来ます。
【０００５】  図２は、洗浄スポンジの斜図です。
【０００６】  図３は、フレーム図です。
【０００７】  図４は、洗浄スポンジ間にコップの洗浄面を挟み込んだ、使用例の図です。Ｊ１面Ｊ２面の両方を同時に洗浄出来ます。
【０００８】  図５は、フレームのＫ１，Ｋ２に力を加えた場合の図です。Ｋ１，Ｋ２に力を加えると、スポンジに圧力が加わります。図５の例の場合はＭ点に力がよりかかりますが、スポンジは全体的に圧縮されており、その力はＭ２の範囲全体にもかかります。
【０００９】  図６は、形状の違うフレームの例で、図４と同様に  洗浄面をスポンジの間に挟み込んだ使用例です。  中心部に折部Ｏがあり、図４よりも先開きの設定になっています。
【００１０】  図７は、図６のスポンジをセットしただけの状態から、Ｕ字部に力を加えた場合の図です。図５よりも洗浄面に均一に力が加わります。
【００１１】  図８は、中央部の折部Ｏの角度を鋭角に変更することにより、その巾を変更することが出来ます。それにより手の中に収まる大きさを変更できます。
又、図５のようにＭに力がかかり過ぎ、他の面に力が及びにくい場合、図７のように中央部の角度を変更した方が、洗浄面にスポンジがより平行になり、均一な力をコップ洗浄面に加えることが出来ます。
【００１２】  図９は、図６の中央部に折部Ｏがあるタイプのフレームの図です。
【発明の効果】
Ｕ字型のフレームに、キッチン洗浄用スポンジを向かい合わせにセットすることにより、その隙間にコップの側面、皿の表面を挟んで洗浄することが出来、しかも表面，裏面を同時に洗浄出来るようになりました。
フレームはＵ字型で弾力性のあるものにしましたので、外側からフレームに力を加えて、スポンジ、即ち洗浄面に力を加えることが出来ます。
又、スポンジの固定は、マジックテープによる固定方式ですので、スポンジが古くなったら、スポンジだけを交換すればよく、フレームを無駄にすることがありませんし、フレーム自体も単純な構造、少量の素材ですので、エコであり、安価に利用できます。
【図面の簡単な説明】
【００１３】
【図１】コップ洗浄スポンジ全体図
【図２】コップ洗浄スポンジ斜図
【図３】コップ洗浄スポンジフレーム図
【図４】コップ洗浄スポンジ使用例１図
【図５】コップ洗浄スポンジ使用例２図
【図６】コップ洗浄スポンジ使用例３図
【図７】コップ洗浄スポンジ使用例４図
【図８】コップ洗浄スポンジ使用例５図
【図９】コップ洗浄スポンジフレーム図２
【符号の説明】  Ａはフレーム、Ｂはスポンジ全体、Ｃはマジックテープ部、Ｄ１は、Ｂのスポンジの固いスポンジ面でありマジックテープとの接着面でもある、Ｄ２は、柔らかいスポンジ面、Ｅは、スポンジの合わせ面、Ｆはスポンジの先端の平らな面全体、Ｊ１，Ｊ２はコップ側面の表面，裏面、Ｋ１，Ｋ２はフレーム押さえ部分、Ｍはフレーム押さえ力がかかる部分、Ｍ２はフレーム押さえ力が全体にかかる部分、Ｏはフレーム中央部の折り返し部分で、Ｐはフレームの間隔です。
【図１】
2012183274.tif 000003
【図２】
2012183274.tif 000004
【図３】
2012183274.tif 000005
【図４】
2012183274.tif 000006
【図５】
2012183274.tif 000007
【図６】
2012183274.tif 000008
【図７】
2012183274.tif 000009
【図８】
2012183274.tif 000010
【図９】
2012183274.tif 000011